(57)【要約】【課題】  本発明は、Ｈ型鋼からなる梁材に中空筒状柱を垂直に取り付ける取付構造にかかるものである。【解決手段】  中空筒状柱は、取り付けるべき前記Ｈ型鋼のフランジ側に中空筒状柱の中空部に通じた開口部となる少なくとも一つの柱門欠部が形成されている。底板は、前記中空筒状柱の断面積とほぼ同じ大きさに形成されており、前記中空筒状柱の一端に、たとえば、溶接等によって取り付けられている。また、前記底板の中心部には、ボルトを通すボルト孔が設けられている。Ｈ型鋼からなる梁材は、フランジの中央部で、かつ、ウェブが形成されている位置にボルト孔が設けられている。また、前記ボルト孔が設けられた位置のウェブには、開口部が設けられている。【選択図】    図１
2005226317.tif 000002
【特許請求の範囲】
【請求項１】
Ｈ型鋼からなる梁材に中空筒状柱を垂直に取り付ける取付構造において、
一端に中空部に通じる開口部を有する少なくとも一つの柱門欠部が形成されている中空筒状柱と、
前記中空筒状柱の一端に取り付けられ、中心にボルト孔を有する底板と、
フランジの中央部で、かつ、ウェブが形成されている位置に設けられたボルト孔、および前記ボルト孔の位置にあるウェブに設けられた開口部を有するＨ型鋼からなる梁材と、
前記梁材の開口部および柱門欠部において、前記底板と前記Ｈ型鋼のフランジとを取り付けるボルト・ナットと、
から構成されていることを特徴とする中空筒状柱とＨ型鋼からなる梁材との取付構造。
【発明の詳細な説明】
【技術分野】
【０００１】
本発明は、Ｈ型鋼からなる梁材に中空筒状柱を垂直に取り付ける取付構造に関するものである。
【背景技術】
【０００２】
図３は従来例における中空筒状柱とＨ型鋼からなる梁材との取付構造を説明するための図である。図３において、中空筒状柱３１は、Ｈ型鋼３２の上部フランジ３２１に垂直に取り付けられる。前記中空筒状柱３１の下端部は、板材３３と溶接部３４において取り付けられている。また、前記板材３３には、Ｈ型鋼３２の上部フランジ３２１に取り付けるためのボルト孔３５が設けられている。
【０００３】
前記板材３３が取り付けられた中空筒状柱３１とＨ型鋼３２とは、現場に搬送された後、ボルトを前記ボルト孔３５に通し、ナットによって互いに締め付けられて固定される。
【０００４】
Ｈ型鋼の柱と梁との取付構造は、たとえば、特開２００３−４９４８２号公報に、Ｈ型鋼どうしの取付構造は、たとえば、特開２００２−１３８５７５号公報に示されている。
【０００５】
【特許文献１】特開２００３−４９４８２号公報
【特許文献２】特開２００２−１３８５７５号公報
【発明の開示】
【発明が解決しようとする課題】
【０００６】
図３に示された中空筒状柱３１とＨ型鋼３２とは、板材３３を介してボルト・ナットによって取り付けられている。前記取付構造は、一本のボルトの強度に関係なく、４本のボルトを用いなければならないという問題があった。また、図３に示された取付構造は、中空筒状柱の根本に沿って間仕切材や梁材が載置できない、あるいは前記間仕切材や梁材が前記中空筒状柱にピッタリと着けることができないという問題があった。
【０００７】
本発明は、以上のような課題を解決するためのものであり、Ｈ型鋼からなる梁材に中空筒状柱を垂直に取り付ける取付構造を提供することを目的とする。
【課題を解決するための手段】
【０００８】
本発明は、Ｈ型鋼からなる梁材に中空筒状柱を垂直に取り付ける取付構造であり、一端に中空部に通じる開口部を有する少なくとも一つの柱門欠部が形成されている中空筒状柱と、前記中空筒状柱の一端に取り付けられ、中心にボルト孔を有する底板と、フランジの中央部で、かつ、ウェブが形成されている位置に設けられたボルト孔、および前記ボルト孔の位置にあるウェブに設けられた開口部を有するＨ型鋼からなる梁材と、前記梁材の開口部および柱門欠部において、前記底板と前記Ｈ型鋼のフランジとを取り付けるボルト・ナットと、から構成されていることを特徴とする。
【発明の効果】
【０００９】
本発明によれば、中空筒状柱の一端に取り付けた底板の中心部と、Ｈ型鋼のフランジにおけるウェブのある位置において、柱門欠部と開口部とを利用することで、ボルト・ナットによって取り付けることができる。すなわち、本発明は、前記底板にボルトを通す孔を設ける必要がなく、中空筒状柱の中心位置において、一本のボルト・ナットによって取り付けできるため、前記底板が中空筒状柱の周囲より大きくなることがなく、前記中空筒状柱の根本に接してピッタリと間仕切材または梁材等を取り付けることが可能になった。
【００１０】
本発明によれば、中空筒状柱に取り付けられた底板およびＨ型鋼のフランジの取り付けは、柱門欠部と開口部とを利用することで、一本のボルト・ナットを使用するのみであるため、施行時間を短縮することが可能になった。
【発明を実施するための最良の形態】
【００１１】
本発明の中空筒状柱とＨ型鋼からなる梁材との取付構造は、Ｈ型鋼からなる梁材のフランジの上部または下部に中空筒状柱を垂直に取り付ける取付構造にかかるものである。前記中空筒状柱は、取り付けるべき前記Ｈ型鋼のフランジ側に中空筒状柱の中空部に通じた開口部となる少なくとも一つの柱門欠部が形成されている。
【００１２】
底板は、前記中空筒状柱の断面積とほぼ同じ大きさに形成されており、前記中空筒状柱の一端に、たとえば、溶接等によって取り付けられている。また、前記底板の中心部には、ボルトを通すボルト孔が設けられている。Ｈ型鋼からなる梁材は、フランジの中央部で、かつ、ウェブが形成されている位置にボルト孔が設けられている。また、前記ボルト孔が設けられた位置のウェブには、開口部が設けられている。
【００１３】
前記中空筒状柱は、たとえば、前記Ｈ型鋼からなる梁材のフランジ上に垂直に載置し、前記梁材の開口部と前記中空筒状柱の柱門欠部とを利用して、前記底板のボルト孔とフランジのボルト孔にボルトを通し、ナットにより、前記梁材と互いに締め付けられる。
【００１４】
本発明は、前記中空筒状柱の一端に取り付けた底板の中心部とＨ型鋼のフランジにおけるウェブのある位置で、柱門欠部と開口部とを利用することで、ボルト・ナットによって取り付けることができる。すなわち、本発明は、前記底板の中心部において、一本のボルト・ナットによって取り付けられるため、前記底板が中空筒状柱の周囲より大きくなることがなく、前記中空筒状柱の根本に接してピッタリと間仕切材または梁材等を取り付けることが可能になった。
【００１５】
本発明の底板およびＨ型鋼のフランジとの取り付けは、前記柱門欠部と開口部とを利用することで、一本のボルト・ナットを使用するのみであるため、施行時間を短縮することが可能になった。
【実施例１】
【００１６】
図１は本発明の実施例で、中空筒状柱とＨ型鋼との取り付けを説明するための斜視図である。図２（イ）および（ロ）は、本発明の実施例で、中空筒状柱とＨ型鋼との取り付けをボルトによって行った例を説明するための図である。
【００１７】
図１および図２において、中空筒状柱１１は、Ｈ型鋼１２の上部フランジ１２１上に垂直に取り付けられる。前記中空筒状柱１１の下端部は、底板１１２と溶接部１１１において取り付けられている。前記底板１１２の中心部には、ボルト１３を挿通するボルト孔１１３が設けられている。
【００１８】
また、前記中空筒状柱１１の下部には、たとえば、スパナを回す空間からなる柱門欠部１１４が少なくとも一つ設けられている。前記Ｈ型鋼１２は、上部フランジ１２１と下部フランジ１２２、および前記各フランジ１２１、１２２を接続するウェブ１２３とから構成されている。前記ウェブ１２３には、前記中空筒状柱１１を取り付ける位置に開口部１２４が設けられている。
【００１９】
前記底板１１２が取り付けられた中空筒状柱１１とＨ型鋼１２とは、現場に搬送された後、たとえば、上部フランジ１２１の上に前記中空筒状柱１１を立て、前記底板１１２のボルト孔１１３にボルト１３を挿通し、前記柱門欠部１１４と開口部１２４とを利用して、締めつける。
【００２０】
前記中空筒状柱１１は、Ｈ型鋼１２のウェブ１２３がある中心部に載置されて、取り付けられるため、前記底板１１２およびボルト１３の強度計算をきちんとすれば、一本のボルト・ナットであっても、前記両者を堅固に取り付けることができる。
【産業上の利用可能性】
【００２１】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の前記Ｈ型鋼、中空筒状柱、底板、およびボルト・ナットの材質は、周知または公知のものを使用することができる。
【００２２】
本発明は、特許請求の範囲に記載された事項を逸脱することがなければ、前記柱門欠部および開口部の形状は、スパナが入りボルト・ナットを回転できれば、特に限定されるものではない。前記中空筒状柱および底板を取り付ける溶接は、周知または公知の手段によって取り付けられるものである。
【００２３】
本発明は、中空筒状柱とＨ型鋼との位置関係に限定されるものではなく、いろいろなバリエーションを採ることができる。また、中空筒状柱は、正方形以外に長方形、あるいは円形、楕円形等、特に形状に限定されるものではない。
【図面の簡単な説明】
【００２４】
【図１】本発明の実施例で、中空筒状柱とＨ型鋼との取り付けを説明するための斜視図である。（実施例１）
【図２】図２（イ）および（ロ）は、本発明の実施例で、中空筒状柱とＨ型鋼との取り付けをボルトによって行った例を説明するための図である。
【図３】従来例における中空筒状柱とＨ型鋼からなる梁材との取付構造を説明するための図である。
【符号の説明】
【００２５】
１１、１１′・・・中空筒状柱
１１１・・・溶接部
１１２・・・底板
１１３・・・ボルト孔
１１４、１１４′・・・柱門欠部
１２・・・Ｈ型鋼
１２１・・・上部フランジ
１２２・・・下部フランジ
１２３・・・ウェブ
１２４、１２４′・・・開口部
１３・・・ボルト
１４・・・ナット
【図１】
2005226317.tif 000003
【図２】
2005226317.tif 000004
【図３】
2005226317.tif 000005